(57)【特許請求の範囲】
【請求項１】
マンホールの周りを地面から所定の高さで取り囲むように構成された円形フレームと、
該円形フレームの一部を、底面側の一部を残して天面側から底面側に向かって切り欠いたホース開口部と、
前記円形フレームの天面に開閉可能に取り付けられた蓋部と、
該蓋部に取り付けられ、前記蓋部を閉じると前記ホース開口部を覆い隠すことが可能なゴムシートと、を備えた、  
ことを特徴とするマンホール作業用安全ガード。
【請求項２】
請求項１において、
前記蓋部の少なくとも一部が透明な樹脂又はガラスにより構成されている
ことを特徴とするマンホール作業用安全ガード。
【請求項３】
請求項１又は２において、
前記蓋部は、２枚の半円部材の弦部分同士が蝶番により連結されて構成されている
ことを特徴とするマンホール作業用安全ガード。
【請求項４】
請求項１〜３のいずれかにおいて、
前記円形フレームの内周面には、前記ホース開口部を除いて、一周に渡って手すりが設けられている
ことを特徴とするマンホール作業用安全ガード。
【発明の詳細な説明】
【技術分野】
【０００１】
本発明は、マンホールの技術分野に関し、特にマンホールで作業を行う際の安全性を確保する為の器具に関する。
【背景技術】
【０００２】
従来から、マンホールの蓋を開けて作業するような場合に、歩行者等に注意を促したり、マンホール内部への人や物の落下を防止するための安全ガードが公知となっている。例えば、特許文献１においては、内側に補強リブを渡した枠型フレームと、この枠型フレームの上部に脚立体を設けたマンホールガードが記載されている。内側に補強リブが渡されているため、十分な強度が確保されている。また、例えば、枠型フレームを２分割に構成し、その一部を取り外す事で、当該取り外した箇所からホースなどでマンホール内に給水等できると記載されている。
【先行技術文献】
【特許文献】
【０００３】
【特許文献１】特開２００１−３３７９号公報
【発明の概要】
【発明が解決しようとする課題】
【０００４】
しかしながら、特許文献１のマンホールガードでは、人がマンホールに出入りするにあたって、補強リブを取り外す必要がある。また、枠型フレームを２分割に構成し、その一部を取り外すような構成の場合、その取り外した部品がマンホール内に落下する等の危険性がある。更に、ホースでマンホール内に高圧で水を噴射したような場合、その反動で水がマンホール外に逆噴射する場合があるが、補強リブではその隙間から逆噴射した水が、汚泥などと共に噴出し、周囲を汚すといった問題もあった。
【０００５】
そこで本発明は、こういった問題点を解決するべくなされたものであって、マンホールでの作業安全性を確保すると共に、マンホール内にホースを入れる際にもフレームを分割等する必要がなく、更に、水や汚泥の逆噴射があった場合でも、周囲を汚すことのないマンホール作業用安全ガードを提供することをその課題としている。
【課題を解決するための手段】
【０００６】
上記課題を解決するべく、本願発明は、マンホールの周りを地面から所定の高さで取り囲むように構成された円形フレームと、該円形フレームの一部を、底面側の一部を残して天面側から底面側に向かって切り欠いたホース開口部と、前記円形フレームの天面に開閉可能に取り付けられた蓋部と、該蓋部に取り付けられ、前記蓋部を閉じると前記ホース開口部を覆い隠すことが可能なゴムシートと、を備えた、ことを特徴とする。
【０００７】
マンホールの周りを地面から所定の高さで取り囲むように構成された円形フレームの存在によって、マンホールで作業等が行われていることを一見して把握できると共に、ボール等が転がってきた場合でも、ボール等がマンホール内に侵入することを防止することができる。また、円形フレームの一部が、底面側の一部を残して天面側から底面側に向かって切り欠かれているので、この切り欠き部分からマンホール内にホースを挿入することができる。即ち、フレームを分割する必要がないので、分割したフレームがマンホール内に落下することもない。更に、円形フレームの天面に設けられている蓋部には、この蓋部を閉めると、ホース開口部を覆い隠すことが可能なゴムシートが備わっているため、蓋を閉じることによってホース開口部が外面に露出するのを防止することができる。
【０００８】
また、前記蓋部の少なくとも一部が透明な樹脂又はガラスにより構成されている。
【０００９】
このように構成すれば、マンホール内部の様子を把握することができると共に、蓋を閉めてもマンホール内へ屋外の光を取り込むことが可能となる。
【００１０】
また、前記蓋部は、２枚の半円部材の弦部分同士が蝶番により連結されて構成されている、
【００１１】
このように構成すれば、円形フレームの天面側に備わる蓋部を半円分だけ（半分だけ）開閉できるので、蓋部を全開しなくとも行える作業の際に、半円分だけ蓋部を閉じておくことによって、最大限落下防止機能を発揮させることが可能となる。
【００１２】
また、前記円形フレームの内周面には、前記ホース開口部を除いて、一周に渡って手すりが設けられていることを特徴とする。
【００１３】
このように構成することによって、マンホール内の作業者が地上に上がってくる際、及びマンホール内に進入する際に、手すりを把持して身体を支持することが可能となる。更に、ホース開口部を除いて一周に渡って手すりが設けられているので、身体の向きにかかわらず、力を入れやすい場所を把持することができる。
【発明の効果】
【００１４】
本発明を適用することで、マンホールでの作業安全性を確保すると共に、マンホール内にホースを入れる際にもフレームを分割等する必要がなく、更に、水や汚泥の逆噴射があった場合でも、周囲を汚すことのないマンホール作業用安全ガードを提供することができる。
【図面の簡単な説明】
【００１５】
【図１】本発明に係るマンホール作業用安全ガードの平面図である。
【図２】本発明に係るマンホール作業用安全ガードの正面図である。
【図３】本発明に係るマンホール作業用安全ガードの右側面図である。
【図４】本発明に係るマンホール作業用安全ガードの斜視図であって、蓋部を半円分だけ開けた状態を示した図である。
【図５】本発明に係るマンホール作業用安全ガードの斜視図であって、蓋部を完全に開けた状態を示した図である。
【図６】本発明に係るマンホール作業用安全ガードの斜視図であって、落下防止用ロープ取付部が備わる立脚フレームを装着した状態を示した図である。
【発明を実施するための形態】
【００１６】
以下、添付図面を参照しつつ、本発明の実施形態の一例であるマンホール作業用安全ガード１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈マンホール作業用安全ガードの構成〉
図１〜３に示しているように、本発明に係るマンホール作業用安全ガード１００は、マンホールの周りを地面から所定の高さで取り囲むように構成された筒状の円形フレーム１０２を主たる構成要素とし、その天面に開閉可能な蓋部１１０が設けられて構成されている。本実施形態においては、円形フレーム１０２の外径が約９５０ｍｍ、高さが約３５０ｍｍの大きさとなっている。もちろんこのサイズに限定されるものではない。
【００１８】
円形フレーム１０２は、４本の脚部１４０を所定の間隔で正方形に配置し、その４本の脚部１４０に対して円形に湾曲させたステンレスフレームを溶接し、そのフレームの表面にアルミニウム板を貼りつけて構成される。円形フレーム１０２の左右両側には、当該マンホール作業用安全ガード１００を運搬する際に把持する把持部１３０、１３２が備わっている。
【００１９】
また、円形フレーム１０２の正面側には、当該円形フレーム１０２の一部を、底面側の一部（ロアフレーム１０８）を残して天面側から底面側に向かって矩形に切り欠かれており、これがホース開口部１０４となる。
【００２０】
また、円形フレーム１０２の両側面及び背面側の下半分（裾部）には、アルミニウム板が取り付けられておらず開口しており（マンホール蓋逃げ１０６）、その開口部分を裾部ゴムシート（５ｍｍ厚）１２２が覆っている。
【００２１】
円形フレーム１０２の奥方天面近傍には、蓋部１１０の開閉を回動可能に支持する蓋回動支持部１１５が備わっており、この蓋回動支持部１１５が、蓋部１１０と円形フレーム１０２とを連結している。
【００２２】
蓋部１１０は、ちょうど円形フレーム１０２を覆い隠せる大きさとされており、半円型の部材（第１半円部１１１及び第２半円部１１２）のそれぞれの弦部分（円弧ではなく直線部分）で蝶番１１３により連結されて構成されている。その結果、蓋部１１０全体を開けることに加えて、第１半円部１１１の部分だけを開閉することも可能となっている。また、第１半円部１１１及び第２半円部１１２はいずれも、ステンレス製の枠の内側に、透明なポリカーボネート樹脂が嵌め込まれて構成されている。
【００２３】
また、第１半円部１１１の手前側には、矩形のホース開口部用ゴムシート（５ｍｍ厚）１２０が取り付けられている。このホース開口部用ゴムシート１２０は、蓋部１１０を完全に閉じると、ちょうどホース開口部１０４を覆い隠すことができる大きさに形成されている。なお、符号１１４は、蓋部１１０を操作する際の開閉ハンドルである。
【００２４】
円形フレーム１０２の内側（内周面）には、ホース開口部１０４の部分を除いて、一周に渡って円形の手すり１５０が設置されている。
【００２５】
〈マンホール作業用安全ガードの作用・機能〉
本発明に係るマンホール作業用安全ガード１００は、マンホールを取り囲むように設置して使用する。マンホールの種類によっては、マンホールの蓋と基部が連結されていて、他の場所へ移動させることができず、マンホール穴の脇に置いておく以外に手段がない場合があるが、その場合でも、円形フレーム１０２の両側面及び背面下部に形成されているマンホール蓋逃げ１０６によって、マンホール作業用安全ガードを所望の位置に置くことが可能となっている。
【００２６】
マンホールへ出入りする際は、蓋部１１０を開けて出入りする。この時、出入りする者の落下防止等の安全を確保したい場合には、図６に示しているように、円形フレーム１０２に立脚フレーム１６０を取り付け、ロープなどで身体を係止した上で出入りすることも可能である。
【００２７】
作業中及び、作業終了後などは、蓋部１１０を閉めておくことにより、マンホール内に過って人や物が落下することを防止することができる。また、蓋部１１０の大部分は透明なポリカーボネートで構成されているので、十分な強度が確保されていることに加え、蓋部１１０を閉めた場合でも、マンホール内部へ外光を取り込むことも可能となっている。
【００２８】
また、マンホール内に注水する場合、特に高圧の水を噴射しながら、マンホール内部の洗浄作業を行う場合、その高圧の水がマンホール出口にまで逆噴射する場合がある。そのような作業を行う場合は、ホース開口部１０４からホースを入れた上で、蓋部１１０を完全に閉じて作業すればよい。蓋部１１０の大部分は透明なポリカーボネートで構成されているので、作業中もマンホール内部を視認することができると共に、水の逆噴射や、場合によってはそれに伴って汚泥や空き缶等の個体が逆噴射してくる場合であっても、蓋部１１０の存在によって、それらの飛散を防止することができる。
【００２９】
このように、マンホールの周りを地面から所定の高さで取り囲むように構成された円形フレーム１０２の存在によって、マンホールで作業等が行われていることを一見して把握できると共に、ボール等が転がってきた場合でも、ボール等がマンホール内に侵入することを防止することができる。また、円形フレーム１０２の一部が、底面側の一部を残して天面側から底面側に向かって切り欠かれているので、この切り欠き部分（ホース開口部１０４）からマンホール内にホースを挿入することができる。即ち、フレームを分割する必要がないので、分割したフレームがマンホール内に落下することもない。更に、円形フレーム１０２の天面に設けられている蓋部１１０には、この蓋部１１０を閉めると、ホース開口部１０４を覆い隠すことが可能なホース開口部用ゴムシート１２０が備わっているため、蓋部１１０を閉じることによってホース開口部１０４が外面に露出するのを防止することが可能である。
【００３０】
また、蓋部１１０は、２枚の半円部材（第１半円部１１１及び第２半円部１１２）の弦部分同士が蝶番により連結されて構成されているので、円形フレーム１０２の天面側に備わる蓋部１１０を半円分だけ（半分だけ）開閉でき、蓋部１１０を全開しなくとも行える作業の際に、半円分だけ蓋部１１０を閉じておくことによって、最大限落下防止機能を発揮させることが可能となる。
【００３１】
また、円形フレーム１０２の内周面には、ホース開口部１０４を除いて、一周に渡って手すり１５０が設けられているので、マンホール内の作業者が地上に上がってくる際、及びマンホール内に進入する際に、手すりを把持して身体を支持することが可能となる。更に、ホース開口部１０４を除いて一周に渡って手すり１５０が設けられているので、身体の向きにかかわらず、力を入れやすい場所を把持することができる。
【符号の説明】
【００３２】
１００・・・マンホール作業用安全ガード
１０２・・・円形フレーム
１０４・・・ホース開口部
１０６・・・マンホール蓋逃げ
１０８・・・ロアフレーム
１１０・・・蓋部
１１１・・・第１半円部
１１２・・・第２半円部
１１３・・・蝶番
１１４・・・開閉ハンドル
１１５・・・蓋回動支持部
１２０・・・ホース開口部用ゴムシート
１２２・・・裾部ゴムシート
１３０、１３２・・・把持部
１４０・・・脚部
１５０・・・手すり
１６０・・・立脚フレーム
１６２・・・落下防止用ロープ取付部
【要約】
【課題】
マンホールでの作業安全性を確保すると共に、マンホール内にホースを入れる際にもフレームを分割等する必要がなく、更に、水や汚泥の逆噴射があった場合でも、周囲を汚すことのないマンホール作業用安全ガードを提供する。
【解決手段】
マンホールの周りを地面から所定の高さで取り囲むように構成された円形フレームと、該円形フレームの一部を、底面側の一部を残して天面側から底面側に向かって切り欠いたホース開口部と、前記円形フレームの天面に開閉可能に取り付けられた蓋部と、該蓋部に取り付けられ、前記蓋部を閉じると前記ホース開口部を覆い隠すことが可能なゴムシートと、を備えた、ことを特徴とするマンホール作業用安全ガード。
【選択図】図４【図１】
0005850593.tif 000002
【図２】
0005850593.tif 000003
【図３】
0005850593.tif 000004
【図４】
0005850593.tif 000005
【図５】
0005850593.tif 000006
【図６】
0005850593.tif 000007